(57)【要約】【課題】配線用の溝を形成するワイヤハーネス用プロテクタにおいて、溝への電線束の挿入のしやすさと、溝からの電線束のはみ出しにくさとを両立すること。【解決手段】ワイヤハーネス用プロテクタ１は、配線用の溝２を形成する底板部３およびその底板部３から起立した一対の側壁部４を有する。さらに、底板部３の両側縁部各々から一対の側壁部４各々の根元部に亘って面取り形状に形成された一対のコーナー領域５各々が、複数の孔６０が一様に分布して形成された孔分布構造６を有する。【選択図】図１
2015180168.tif 000002
【特許請求の範囲】
【請求項１】
配線用の溝を形成する底板部および該底板部から起立した一対の側壁部を有し、
前記底板部の両側縁部各々から前記一対の側壁部各々の根元部に亘って面取り形状に形成された一対のコーナー領域各々が、複数の孔が一様に分布して形成された孔分布構造を有する、ワイヤハーネス用プロテクタ。
【請求項２】
前記孔分布構造は、複数の正六角形の前記孔が並んだハニカム構造である、請求項１に記載のワイヤハーネス用プロテクタ。
【請求項３】
前記底板部および前記一対の側壁部のうちの一方または両方における前記一対のコーナー領域に対して間隔を空けて並列する帯状領域も前記孔分布構造を有する、請求項１または請求項２に記載のワイヤハーネス用プロテクタ。
【請求項４】
電線束と、
前記電線束が通された溝を形成する底板部および該底板部から起立した一対の側壁部を有するプロテクタと、
前記プロテクタに巻き付けられた結束材と、を備え、
前記プロテクタにおける前記底板部の両側縁部各々から前記一対の側壁部各々の根元部に亘って面取り形状に形成された一対のコーナー領域各々が、複数の孔が一様に分布して形成された孔分布構造を有し、
前記プロテクタの前記孔分布構造の部分は、前記結束材の結束力によって前記一対の側壁部が前記電線束側へ傾く方向へ撓んでいる、ワイヤハーネス。
【発明の詳細な説明】
【技術分野】
【０００１】
本発明は、ワイヤハーネス用プロテクタおよびそれを備えたワイヤハーネスに関する。
【背景技術】
【０００２】
自動車などの車両に搭載されるワイヤハーネスにおいて、電線束を予め定められた経路に沿う形状に維持しつつ保護するために合成樹脂製のプロテクタが採用される場合がある。
【０００３】
例えば、特許文献１が示すように、ワイヤハーネス用のプロテクタは、硬質なモールド樹脂部材であり、底板部およびその底板部から起立した一対の側壁部を有している。底板部および一対の側壁部は、配線用の溝を形成している。
【０００４】
特許文献１が示すプロテクタは、底板部および一対の側壁部を有する本体部と本体部の溝の開口を塞ぐ蓋部とを有している。しかしながら、例えば電線束の形状維持が主な目的である場合などにおいて、蓋無しのプロテクタ（本体部）が用いられることもある。
【０００５】
蓋無しのプロテクタが採用される場合、結束ベルトまたは粘着テープなどの結束材がプロテクタに巻き付けられる。結束材は、電線束がプロテクタの溝からはみ出すことを防ぐ。蓋無しのプロテクタの採用により、プロテクタの簡易化および軽量化が可能になる。
【先行技術文献】
【特許文献】
【０００６】
【特許文献１】特開２０１２−２２８０５７号公報
【発明の概要】
【発明が解決しようとする課題】
【０００７】
ところで、ワイヤハーネス用プロテクタにおいて、配線用溝の開口の幅が電線束の径に対して十分に大きい場合、電線束を溝に挿入しやすく、ワイヤハーネスの組み立て作業が容易となる。一方、配線用溝の開口の幅が大きいほど、電線束が、結束材から離れた位置においてプロテクタの溝からはみ出しやすくなる。
【０００８】
本発明は、配線用の溝を形成するワイヤハーネス用プロテクタにおいて、溝への電線束の挿入のしやすさと、溝からの電線束のはみ出しにくさとを両立することを目的とする。
【課題を解決するための手段】
【０００９】
第１態様に係るワイヤハーネス用プロテクタは、配線用の溝を形成する底板部およびその底板部から起立した一対の側壁部を有する。さらに、上記底板部の両側縁部各々から上記一対の側壁部各々の根元部に亘って面取り形状に形成された一対のコーナー領域各々が、複数の孔が一様に分布して形成された孔分布構造を有する。
【００１０】
第２態様は第１態様の一例である。第２態様に係るワイヤハーネス用プロテクタにおいて、上記孔分布構造は、複数の正六角形の上記孔が並んだハニカム構造である。
【００１１】
第３態様は第１態様または第２態様の一例である。第３態様に係るワイヤハーネス用プロテクタにおいて、上記底板部および上記一対の側壁部のうちの一方または両方における上記一対のコーナー領域に対して間隔を空けて並列する帯状領域も、上記孔分布構造を有する。
【００１２】
第４態様に係るワイヤハーネスは、電線束と、その電線束が通された溝を形成する上記各態様に係るプロテクタと、そのプロテクタに巻き付けられた結束材とを備える。上記プロテクタの上記孔分布構造の部分は、上記結束材の結束力によって上記一対の側壁部が上記電線束側へ傾く方向へ撓んでいる。
【発明の効果】
【００１３】
上記の各態様において、プロテクタにおける底板部の両側縁部各々から一対の側壁部各々の根元部に亘る一対のコーナー領域各々が、複数の孔が一様に分布して形成された孔分布構造を有する。そのような構造のコーナー領域は、一対の側壁部が溝側およびその反対側へ傾く方向へ撓みやすい。
【００１４】
結束材がそのようなプロテクタに巻き付けられると、孔分布構造の部分（一対のコーナー領域）が結束材の結束力によって撓み、これによって一対の側壁部が溝の開口を狭める方向へ傾いた状態で保持される。
【００１５】
上記の各態様によれば、プロテクタの溝の開口の幅が電線束の径に対して十分に大きい場合であっても、結束材がプロテクタに巻き付けられるだけで、電線束がプロテクタの溝からはみ出しにくい状態をつくることができる。
【００１６】
従って、上記の各態様によれば、プロテクタの溝への電線束の挿入のしやすさと、溝からの電線束のはみ出しにくさとを両立することができる。
【００１７】
また、プロテクタの長手方向における曲げ力に対する強度は、底板部および一対の側壁部における孔分布構造以外の部分と複数の孔の間の部分とによって十分に確保される。そのため、プロテクタにおける電線束の形状維持機能は損なわれない。
【００１８】
また、第２態様によれば、ハニカム構造が孔分布構造として採用されることにより、コーナー領域各々の強度の低下を最小限に抑えつつプロテクタを軽量化することができる。
【００１９】
また、第３態様によれば、一対のコーナー領域と側壁部または底板部の帯状領域とが結束材の結束力によって撓む。そのため、プロテクタをその溝の開口がより狭まるように変形させることができる。そのため、１種類のプロテクタを適用可能な電線束の径の範囲が広くなり、プロテクタの汎用性が高まる。
【図面の簡単な説明】
【００２０】
【図１】第１実施形態に係るワイヤハーネス用のプロテクタ１の斜視図である。
【図２】プロテクタ１のコーナー領域における孔分布構造の図である。
【図３】プロテクタ１を備えるワイヤハーネス１０の斜視図である。
【図４】ワイヤハーネス１０の正面図（一部断面図）である。
【図５】プロテクタ１に電線束が挿入される様子を示す図である。
【図６】第２実施形態に係るワイヤハーネス用のプロテクタ１Ａの斜視図である。
【図７】第３実施形態に係るワイヤハーネス用のプロテクタ１Ｂの底面図である。
【発明を実施するための形態】
【００２１】
以下、添付の図面を参照しながら、実施形態について説明する。以下の実施形態は、本発明を具体化した一例であり、本発明の技術的範囲を限定する事例ではない。以下に示される各実施形態におけるプロテクタおよびワイヤハーネスは自動車などの車両に搭載される車両用プロテクタおよび車両用ワイヤハーネスである。
【００２２】
＜第１実施形態＞
まず、図１〜５を参照しつつ、第１実施形態に係る車両用のプロテクタ１およびそれを備えるワイヤハーネス１０について説明する。プロテクタ１は、例えばポリプロピレン、ポリエチレン、ポリ塩化ビニル、ポリエチレンテレフタラートまたはポリアミドなどを主成分とする熱可塑性樹脂のモールド部材である。
【００２３】
図１が示すように、プロテクタ１は、配線用の溝２を形成する底板部３およびその底板部３から起立した一対の側壁部４を有する。プロテクタ１が自然状態である場合、一対の側壁部４各々は、底板部３に対して概ね直角の方向に沿って起立して形成されている。なお、自然状態は、プロテクタ１に外力が加わっていない状態である。
【００２４】
さらに、プロテクタ１における底板部３の両側縁部各々から一対の側壁部４各々の根元部に亘る一対のコーナー領域５各々は、面取り形状に形成されている。
【００２５】
なお、面取り形状に形成されているとは、プロテクタ１に面取り加工が施されていることを意味しない。その意味は、コーナー領域５各々の内面および外面の形状が、被加工部材の角に対する面取り加工によって得られる形状であることである。
【００２６】
本実施形態において、一対のコーナー領域５各々は、底板部３の両側縁部各々から一対の側壁部４各々の根元部に亘って湾曲した板状の部分である。なお、一対のコーナー領域５各々が、底板部３の両側縁部各々から一対の側壁部４各々の根元部に亘って傾斜した平板状の部分を含むことも考えられる。
【００２７】
プロテクタ１における一対のコーナー領域５各々は、複数の孔６０が一様に分布して形成された孔分布構造６を有する。孔６０は貫通孔である。例えば、孔分布構造６は、図２が示すように、複数の正六角形の孔６０が並んだハニカム構造である。
【００２８】
ハニカム構造においては、正六角形の孔６０各々が、隣の孔６０との間でそれぞれの一辺が平行に対向する状態で配列されている。なお、図２は、便宜上、複数の孔６０が平坦部に形成された状態の孔分布構造６（ハニカム構造）を示しており、湾曲した板状の部分に形成されたハニカム構造の平面図とは若干異なっている。
【００２９】
以上に示したように、プロテクタ１における一対のコーナー領域５各々は、複数の孔６０が一様に分布して形成された孔分布構造６を有する。そのような構造のコーナー領域５各々は、一対の側壁部４が溝２側およびその反対側へ傾く方向へ撓みやすい。
【００３０】
図３が示すように、ワイヤハーネス１０は、電線束９とその電線束９が通された溝２を形成するプロテクタ１と、プロテクタ１に巻き付けられた結束材７とを備えている。前述したように、底板部３および一対の側壁部４が溝２を形成している。
【００３１】
なお、図１において電線束９が仮想線（二点鎖線）で示されている。また、図４，５には電線束９の断面図が示されている。
【００３２】
結束材７は、例えば粘着テープまたは結束ベルトなどである。結束材７は、テープを環状に維持する粘着剤またはベルトを環状に維持するロック機構など、プロテクタ１に巻き付いた状態を維持する機能を有している。
【００３３】
結束材７がプロテクタ１に巻き付けられると、孔分布構造６の部分（一対のコーナー領域５）が結束材７の結束力によって撓み、これによって一対の側壁部４が溝２の開口を狭める方向へ傾いた状態で保持される。
【００３４】
図３，４が示すように、ワイヤハーネス１０において、プロテクタ１の孔分布構造６の部分である一対のコーナー領域５各々は、結束材７の結束力によって一対の側壁部４が電線束９側へ傾く方向へ撓んでいる。
【００３５】
ワイヤハーネス１０において、プロテクタ１の溝２の開口の幅が電線束９の径に対して十分に大きい場合であっても、結束材７がプロテクタ１に巻き付けられるだけで、電線束９がプロテクタ１の溝２からはみ出しにくい状態をつくることができる。
【００３６】
さらに、図５が示すように、ワイヤハーネス１０の組立工程において、電線束９がプロテクタ１の溝２に挿入される際に、一対の側壁部４を溝２の開口が広がる方向へ傾けることもできる。これも、一対のコーナー領域５が可撓性を有するためである。
【００３７】
従って、電線束９の付属部品など、電線束９からその外周側へ張り出した部分がプロテクタ１内に収容される場合であっても、プロテクタ１の溝２の開口が一時的に広げられれば、電線束９を容易にプロテクタ１の溝２に挿入することができる。
【００３８】
従って、ワイヤハーネス１０が採用されれば、プロテクタ１の溝２への電線束９の挿入のしやすさと、溝２からの電線束９のはみ出しにくさとを両立することができる。
【００３９】
また、プロテクタ１の長手方向における曲げ力に対する強度は、底板部３および一対の側壁部４における孔分布構造６以外の部分と複数の孔６０の間の部分とによって十分に確保される。そのため、プロテクタ１における電線束９の形状維持機能は損なわれない。
【００４０】
また、プロテクタ１において、図２が示すようなハニカム構造が孔分布構造６として採用されることにより、コーナー領域５各々の強度の低下を最小限に抑えつつプロテクタ１を軽量化することができる。
【００４１】
＜第２実施形態＞
次に、図６を参照しつつ、ワイヤハーネス１０に適用可能な第２実施形態に係るプロテクタ１Ａについて説明する。図６はワイヤハーネス用のプロテクタ１Ａの斜視図である。図６において、図１〜５に示される構成要素と同じ構成要素は、同じ参照符号が付されている。また、図６において電線束９が仮想線で示されている。
【００４２】
プロテクタ１Ａは、図１などに示されたプロテクタ１と比較して、一対のコーナー領域５以外の領域に孔分布構造６が追加された構成を有している。以下、プロテクタ１Ａにおけるプロテクタ１と異なる点について説明する。
【００４３】
図６が示すように、プロテクタ１Ａにおいて、一対の側壁部４各々の一部である一対の帯状領域４１も孔分布構造６を有する。帯状領域４１各々は、一対の側壁部４各々における一対のコーナー領域５に対して間隔を空けて並列する帯状の領域である。帯状領域４１は、コーナー領域５の長手方向、即ち、溝２の長手方向に沿って延びて形成されている。
【００４４】
プロテクタ１Ａがプロテクタ１の代わりにワイヤハーネス１０に適用された場合、プロテクタ１が採用される場合と同様の効果が得られる。
【００４５】
また、プロテクタ１Ａがワイヤハーネス１０に適用された場合、一対のコーナー領域５と一対の側壁部４の帯状領域４１とが結束材７の結束力によって撓む。そのため、プロテクタ１Ａをその溝２の開口がより狭まるように変形させることができる。そのため、１種類のプロテクタ１Ａを適用可能な電線束９の径の範囲が広くなり、プロテクタ１Ａの汎用性が高まる。
【００４６】
＜第３実施形態＞
次に、図７を参照しつつ、ワイヤハーネス１０に適用可能な第３実施形態に係るプロテクタ１Ｂについて説明する。図７はワイヤハーネス用のプロテクタ１Ｂの底面図である。図７において、図１〜６に示される構成要素と同じ構成要素は、同じ参照符号が付されている。また、図７において電線束９が仮想線で示されている。
【００４７】
プロテクタ１Ｂは、図１などに示されたプロテクタ１と比較して、底板部３および一対の側壁部４の形状が異なる。以下、プロテクタ１Ｂにおけるプロテクタ１と異なる点について説明する。
【００４８】
便宜上、図１，６が示すプロテクタ１，１Ａは、概ね矩形状の底板部３および一対の側壁部４を有している。これにより、プロテクタ１，１Ａは、概ね直方体状の溝２を形成する比較的単純な形状を成している。
【００４９】
しかしながら、図７が示すように、一対のコーナー領域５の孔分布構造６が、例えば分岐した配線用の溝２を形成するような異形のプロテクタ１Ｂに適用されることも考えられる。
【００５０】
図７が示すプロテクタ１Ｂにおいて、底板部３および側壁部４は分岐した溝２を形成しており、分岐構造を有する電線束９がその溝２に挿入される。さらに、図７が示す例では、プロテクタ１Ｂは底板部３に連なる電線結束部８を有している。電線結束部８は、溝２の延長線に沿って底板部３から延び出て形成されている。
【００５１】
電線結束部８は、不図示の結束材によって電線束９と結束される部分である。電線結束部８が電線束９と粘着テープなどの結束材によって結束されることにより、電線束９に対するプロテクタ１Ｂの位置が固定される。
【００５２】
＜応用例＞
プロテクタ１，１Ａ，１Ｂにおいて、底板部３の一部を成す帯状領域に、孔分布構造６が設けられることも考えられる。底板部３の帯状領域は、底板部３における一対のコーナー領域５に対して間隔を空けて並列する帯状の領域である。
【００５３】
プロテクタ１，１Ａ，１Ｂにおいて、コーナー領域５または帯状領域４１の孔分布構造６が、それぞれ正六角形以外の形状の複数の孔６０が一様に分布して形成された部分であることも考えられる。例えば、孔分布構造６が、複数の円形の孔または複数の正三角形の孔が一様に分布して形成された部分であることなどが考えられる。
【００５４】
なお、本発明に係るワイヤハーネス用プロテクタおよびワイヤハーネスは、各請求項に記載された発明の範囲において、以上に示された各実施形態および応用例を自由に組み合わせること、或いは各実施形態および応用例を適宜、変形するまたは一部を省略することによって構成されることも可能である。
【符号の説明】
【００５５】
１，１Ａ，１Ｂ  プロテクタ
１０  ワイヤハーネス
２  溝
３  底板部
４  側壁部
４１  帯状領域
５  コーナー領域
６  孔分布構造
６０  孔
７  結束材
８  電線結束部
９  電線束
【図１】
2015180168.tif 000003
【図２】
2015180168.tif 000004
【図３】
2015180168.tif 000005
【図４】
2015180168.tif 000006
【図５】
2015180168.tif 000007
【図６】
2015180168.tif 000008
【図７】
2015180168.tif 000009